(57)【要約】【課題】住宅等への不正侵入に対する監視・警報機能を備えた施錠装置を設け、これらの施錠装置を一斉に施錠、警戒・通報・解錠を行う防犯システムを提供する。【解決手段】この防犯システムは、建物の玄関に設置される第１補助錠５０と、窓に設置される第２補助錠３と、第１子機７９、第２子機８０Ａとの間で第１補助錠５０又は第２補助錠３の施錠及び解錠の各命令を通信可能に接続されるメインコントローラ８０を備え、メインコントローラ８０からの命令により第２補助錠３の施錠を実行した後、サブコントローラ１００の命令により玄関の第１補助錠５０の施錠を実行し、サブコントローラ１００からの命令により第１補助錠５０の解錠を実行した後、メインコントローラ８０からの命令により第２補助錠３の解錠を実行する外出警戒モードを有する。【選択図】  図１
2005070824.tif 000002
【特許請求の範囲】
【請求項１】
建物の所定の出入口に設置される第１施錠装置の施錠及び解錠を実行可能な第１子機と、
前記建物のその他の開口部に設置される第２施錠装置の施錠及び解錠を実行可能な第２子機と、
前記第１子機および前記第２子機との間で施錠及び解錠の各命令を通信可能に接続されるコントローラとを備え、
該コントローラからの命令により前記第２子機を通して前記第２施錠装置の施錠を実行した後、前記コントローラからの命令により前記第１子機を通して前記第１施錠装置の施錠を実行する施錠機能と、
前記コントローラからの命令により前記第１子機を通して前記第１施錠装置の解錠を実行した後、前記コントローラからの命令により前記第２子機を通して前記第２施錠装置の解錠を実行可能な解錠機能と、を有することを特徴とする防犯システム。
【請求項２】
請求項１の防犯システムにおいて、
前記コントローラは、メインコントローラとサブコントローラとで構成され、前記メインコントローラが前記第２施錠装置の施錠を行った後、前記サブコントローラにより前記第１施錠装置の施錠を行う施錠機能と、
前記サブコントローラにより前記第１施錠装置の解錠を実行可能な解錠機能を有することを特徴とする防犯システム。
【請求項３】
建物の所定の出入口に設置される第１施錠装置の施錠と警戒及び解錠を実行可能な第１子機と、
前記建物のその他の開口部に設置される第２施錠装置の施錠と警戒及び解錠を実行可能な第２子機と、
前記第１子機若しくは前記第２子機との少なくともいずれかの子機間で施錠と警戒及び解錠の各命令を通信可能に接続されるメインコントローラと、
該メインコントローラ若しくは前記第１子機の何れかと通信可能に接続される少なくとも１以上のサブコントローラとを備え、
前記メインコントローラの命令に基づいて前記第２施錠装置の施錠を実行すると共に警戒状態に移行した後、前記サブコントローラからの命令に基づいて、前記第１施錠装置の施錠を実行すると共に警戒状態に移行し、該警戒状態下において前記サブコントローラからの命令に基づいて、前記第１施錠装置の解錠を実行すると共に警戒状態を解除可能な外出警戒モードを有することを特徴とする防犯システム。
【請求項４】
請求項３の防犯システムにおいて、
前記メインコントローラは、メインコントローラからの命令により、前記第２子機を通して前記第２施錠装置の施錠を実行すると共に警戒状態に移行するのみならず、前記第１子機を通して前記第１施錠装置の施錠を実行すると共に警戒状態に移行する在宅警戒モードを有することを特徴とする防犯システム。
【請求項５】
請求項３および請求項４のいずれかの防犯システムにおいて、
前記メインコントローラからの命令により、前記第２子機を通して前記第２施錠装置の施錠を維持しつつ警戒状態を解除すると共に、前記第１子機を通して前記第１施錠装置の施錠を維持しつつ警戒状態を解除する在宅モードを有することを特徴とする防犯システム。
【請求項６】
請求項１乃至請求項５の何れかの防犯システムであって、
前記第１，第２施錠装置は、施錠時若しくは前記外出警戒モード若しくは前記在宅警戒モードのいずれかにおいて、前記所定の出入口又は前記開口部の戸の異常を検出する異常検知センサと、異常を検知したときに、警報を発する手段とを各々備えることを特徴とする防犯システム。
【請求項７】
請求項１乃至請求項６の何れかの防犯システムにおいて、
前記第１，第２施錠装置は、施錠時若しくは前記外出警戒モード若しくは前記在宅警戒モードのいずれかにおいて、前記所定の出入口又は前記開口部の戸の異常を検出する異常検知センサと、異常を検知したときに、当該異常を前記コントローラに伝える機能を備えることを特徴とする防犯システム。
【請求項８】
請求項１乃至請求項７の何れかの防犯システムにおいて、
前記第１施錠装置及び前記第２施錠装置のそれぞれに、前記メインコントローラとの通信を行うための通信装置と、該通信装置によって施錠、警戒、解錠を行うマイクロコンピュータとを設け、
前記メインコントローラと前記第１施錠装置若しくは前記第２施錠装置との通信により、前記メインコントローラに各施錠装置の状態を示すデータを記憶させ、外部からのアクセスに対して許可可能と確認された場合に、前記施錠状態、警戒状態、解錠状態の何れかを示すデータの提供、若しくは、施錠若しくは解錠を許容する外部アクセス機能を持たせたことを特徴とする防犯システム。
【発明の詳細な説明】
【０００１】
【発明の属する技術分野】
本件発明は、防犯システムに関するものであり、更に詳しくは、設計・構築・運用・保守が容易であり、コストが低廉で主として家庭等に好適な防犯システムに関する。
【０００２】
【従来の技術】
従来、防犯システムとしては各種のサービスが提供されている。例えば、特許２７５６６１１号公報に開示されているワイヤレス防犯システムは、「（１）２枚窓の一方の窓枠体の側縁部の幅より小さい寸法に形成され、２枚窓の一方の窓枠体の側縁部に取付けられるワイヤレス送信器と、（２）２枚窓の他方の窓枠体の対応した側縁部あるいは窓ガラスに取り付けられる永久磁石と、（３）ワイヤレス受信機とを組合わせ、窓が開閉されたときには、ワイヤレス送信器よりＩＤコードに開閉信号を付加した電波信号を発信させて、この電波信号をセキュリティー受信機で受信検知して、２枚窓の開、閉状態を報知する構成としたワイヤレス防犯システムであって、（４）上記ワイヤレス送信器は、複数の接続ピンを導出させたパッケージ内に制御回路部を実装させたＩＣチップを内蔵しており、（５）そのＩＣチップの導電接続部と、上記接続ピンとを選択的にボンディング接続することによってＩＤコードを固定的に設定した」ものである。
【０００３】
上記特許公報にかかるワイヤレス防犯システムは、より具体的には、「（１）２枚窓の一方の窓枠体の側縁部あるいは上下開閉窓の窓枠体に取り付けられた回動式錠爪を、他方の窓枠体あるいは上下開閉窓の窓枠に取り付けられた係合部に係脱させて施解錠を行うワイヤレス防犯システムにおいて、（２）上記回動式錠爪の操作片には永久磁石を取り付けるとともに、（３）この回動式錠爪の取り付けられた一方の窓枠体の側縁部あるいは上下開閉窓の窓枠体には、磁力作動型の近接センサーを内蔵し、かつ上記一方の窓枠体の側縁部の幅あるいは上下開閉窓の窓枠体の幅よりも小さい寸法のワイヤレス送信器を設置して成り、（４）このワイヤレス送信器に内蔵された近接センサーを、上記回動式錠爪の操作片に取り付けられた永久磁石に近接させ、上記回動式錠爪が施錠位置にあるとき、あるいは解錠されたときに応じて、オン、オフさせる構成とし、（５）上記ワイヤレス送信器から送出されるＩＤコードに施、解錠の位置信号を付加した電波信号をセキュリティー受信機で受信検知して、窓が施錠位置にあること、解錠状態にあることを報知する構成とし、（６）上記ワイヤレス送信器は、複数の接続ピンを導出させたパッケージ内に制御回路部を実装させたＩＣチップを内蔵しており、（７）そのＩＣチップの導電接続部と、上記接続ピンとを選択的にボンディング接続することによってＩＤコードを固定的に設定した構成としたものであることが開示されている。
【０００４】
【特許文献１】
特許番号第２７５６６１１号公報
【０００５】
【発明が解決しようとする課題】
このワイヤレス防犯システムでは、クレセント錠などの回動操作用のレバー等にマグネットを設ける一方、このレバーの近傍にマグネットの磁力を感知する近接センサを収納したワイヤレス送信器を設置するものであり、ワイヤレス送信器に対してセキュリティ受信機を何れかに設置する。ワイヤレス送信器はクレセント錠の解錠・施錠の位置信号を付加した電波信号を送信し、セキュリティ受信機はこの電波信号を受信検知して窓が施錠位置にあるか、解錠状態にあるかを検知できる。窓を特定するために、ワイヤレス送信器は制御回路部を実装したＩＣチップを内蔵しており、ＩＣチップの導電接続部と接続ピンを選択的にボンディングしてＩＤコードを固定的に設定するものである。
【０００６】
しかしながら、このワイヤレス防犯システムは、引き戸式の２枚窓の主錠の開閉状態を検出するものであり、どの窓のクレセント錠が施錠又は解錠されているかを確認或いは通報することは可能であるが、窓の錠の遠隔操作により施錠・解錠は出来ない。また、出入口のドアと窓などの開口部を同時に管理するシステムではないので、錠が開けられると、窓が容易に開いたり、出入口からの侵入を許してしまうという問題がある。
【０００７】
本発明は、このような問題に鑑みてなされたものであり、住宅等の開口部からの不正侵入に対する警戒及び警報機能を備えた施錠装置を設け、これらの施錠装置の一斉施錠と、警戒並びに異常時の通報、及び解錠を行うことが可能な防犯システムを提供することを目的とする。尚、この発明において、警戒の状態には、監視状態下にあって異常が発生した場合に何らかの処理を行うこと並びに監視している状態を含めている。
【０００８】
【課題を解決するための手段】
上記課題を解決するために、第１の発明にかかる防犯システムは、建物の所定の出入口に設置される第１施錠装置の施錠及び解錠を実行可能な第１子機と、前記建物のその他の開口部に設置される第２施錠装置の施錠及び解錠を実行可能な第２子機と、前記第１子機および前記第２子機との間で施錠及び解錠の各命令を通信可能に接続されるコントローラとを備え、該コントローラからの命令により前記第２子機を通して前記第２施錠装置の施錠を実行した後、前記コントローラからの命令により前記第１子機を通して前記第１施錠装置の施錠を実行する施錠機能と、前記コントローラからの命令により前記第１子機を通して前記第１施錠装置の解錠を実行した後、前記コントローラからの命令により前記第２子機を通して前記第２施錠装置の解錠を実行可能な解錠機能と、を有することを特徴とする。
【０００９】
本願の第２の防犯システムは、第１の防犯システムにおいて、前記コントローラは、メインコントローラとサブコントローラとで構成され、前記メインコントローラが前記第２施錠装置の施錠を行った後、前記サブコントローラにより前記第１施錠装置の施錠を行う施錠機能と、前記サブコントローラにより前記第１施錠装置の解錠を実行可能な解錠機能を有することを特徴とする。
【００１０】
本願の第３の防犯システムは、建物の所定の出入口に設置される第１施錠装置の施錠と警戒及び解錠を実行可能な第１子機と、前記建物のその他の開口部に設置される第２施錠装置の施錠と警戒及び解錠を実行可能な第２子機と、前記第１子機若しくは前記第２子機との少なくともいずれかの子機間で施錠と警戒及び解錠の各命令を通信可能に接続されるメインコントローラと、該メインコントローラ若しくは前記第１子機の何れかと通信可能に接続される少なくとも１以上のサブコントローラとを備え、前記メインコントローラの命令に基づいて前記第２施錠装置の施錠を実行すると共に警戒状態に移行した後、前記サブコントローラからの命令に基づいて、前記第１施錠装置の施錠を実行すると共に警戒状態に移行し、該警戒状態下において前記サブコントローラからの命令に基づいて、前記第１施錠装置の解錠を実行すると共に警戒状態を解除可能な外出警戒モードを有することを特徴とする。
【００１１】
本願の第４の防犯システムは、第３の防犯システムにおいて、前記メインコントローラは、メインコントローラからの命令により、前記第２子機を通して前記第２施錠装置の施錠を実行すると共に警戒状態に移行するのみならず、前記第１子機を通して前記第１施錠装置の施錠を実行すると共に警戒状態に移行する在宅警戒モードを有することを特徴とする。
【００１２】
本願の第５の防犯システムは、第３および第４のいずれかの防犯システムにおいて、前記メインコントローラからの命令により、前記第２子機を通して前記第２施錠装置の施錠を維持しつつ警戒状態を解除すると共に、前記第１子機を通して前記第１施錠装置の施錠を維持しつつ警戒状態を解除する在宅モードを有することを特徴とする。
【００１３】
本願の第６の防犯システムは、第１乃至第５の何れかの防犯システムであって、前記第１，第２施錠装置は、施錠時若しくは前記外出警戒モード若しくは前記在宅警戒モードのいずれかにおいて、前記所定の出入口又は前記開口部の戸の異常を検出する異常検知センサと、異常を検知したときに、警報を発する手段とを各々備えることを特徴とする。
【００１４】
本願の第７の防犯システムは、第１乃至第６の何れかの防犯システムにおいて、前記第１，第２施錠装置は、施錠時若しくは前記外出警戒モード若しくは前記在宅警戒モードのいずれかにおいて、前記所定の出入口又は前記開口部の戸の異常を検出する異常検知センサと、異常を検知したときに、当該異常を前記コントローラに伝える機能を備えることを特徴とする。
【００１５】
本願の第８の防犯システムは、第１乃至第７の何れかの防犯システムにおいて、前記第１施錠装置及び前記第２施錠装置のそれぞれに、前記メインコントローラとの通信を行うための通信装置と、該通信装置によって施錠、監視、解錠を行うマイクロコンピュータとを設け、前記メインコントローラと前記第１施錠装置若しくは前記第２施錠装置との通信により、前記メインコントローラに各施錠装置の状態を示すデータを記憶させ、外部からのアクセスに対する許可が確認された場合に、前記施錠状態、警戒状態、解錠状態の何れかを示すデータの提供、若しくは、施錠若しくは解錠を許容する外部アクセス機能を持たせたことを特徴とする。
【００１６】
【発明の実施の形態】
以下、本願の実施の形態にかかる防犯システムを図面に基づいて説明する。
【００１７】
図１（Ａ）（Ｂ）は実施の形態の防犯システムを適用した戸建て建物の概念を示す。
【００１８】
この戸建て建物の主たる開口部に該当する玄関には、主錠と第１補助錠５０（第１施錠装置）が取り付けられている。この建物のその他の開口部に該当する窓部や勝手口等には、主錠と第２補助錠３（第２施錠装置）が取り付けられている。第１補助錠５０には第１子機７９が一体に設けられており、第２補助錠３には第２子機８０Ａが一体に設けられている。
【００１９】
第１補助錠５０は、図２、図３、図４に示すように、補助錠本体５１と受け金具５２とで構成され、補助錠本体５１は、玄関のドアＤ上隅部の縁部に取り付けられ、受け金具５２はドアＤの縁部に対応する玄関の開口縁部に取り付けられる。５３は玄関の主錠であり、５４は主錠５３の補助錠となるサムターン錠であるが、本件の第１補助錠とは関連しない。受け金具５２は、図３に示すように、略「凸」字形状を有しており、受け金具５２の両端部には、玄関の開口部の金属製縁部５５にボルトで固定されるように通し穴５６が開口されている。受け金具５２は補助錠本体５１から出入するデッドボルト５７を受ける受け部５８を備えている。受け部５８と金属製縁部５５の間の距離は、デッドボルト５７の厚さ相当の距離とされており、受け金具５２及び補助錠本体５１は、主錠５３及びサムターン錠５４が解錠されているときに、ドアＤを開けようとしても阻止できる強度を備えている。補助錠本体５１の室内側の面には解錠ボタン５９と外出警戒モードにあることを示すＬＥＤ６０が設けられている。
【００２０】
補助錠本体５１は、ドアＤにネジにより取り付けられる筐体６１を備えている。筐体６１の表側は開閉可能な蓋部とされ、蓋部に解錠ボタン５９とＬＥＤ６０を外部に臨ませる開口部が形成されている。筐体６１には、閂となるデッドボルト５７をその軸方向にスライド可能に保持する一対のガイド部６２が取り付けられている。一対のガイド部６２はクランク型の断面形状を有しており、一対のガイド部６２と筐体６１の底部との間にデッドボルト５７をスライド可能に保持している。デッドボルト５７の出入方向の後部にはストッパー部５７Ａが形成されており、このストッパー部５７Ａが一対のガイド部６２の後端部に突き当たると、デッドボルト５７の突出量が限界となる。一対のガイド部６２の一方の端部近傍には、デッドボルト５７が突出限界まで突出すると、ストッパー部５７Ａに当たってオン（導通）となるマイクロスイッチ６３が取り付けられている。又、デッドボルト５７が突出限界まで突出すると、デッドボルト５７の先端部が完全に受け金具５２の受け部５８と金属製縁部５５との間に挿入され、ドアＤが第１補助錠５０によって施錠された状態となる。
【００２１】
デッドボルト５７の突出方向の反対側には、ストッパー６４とマイクロスイッチ６５とが取り付けられている。ストッパー６４はデッドボルト５７が解錠されてデッドボルト５７がストッパー６４側に後退するときに、デッドボルト５７の後端部を支えると共に、マイクロスイッチ６５をオフ（遮断）する。更に、受け金具５２の下部側の取付部５２Ａには反射板６６が取り付けられており、補助錠本体５１の反射板６６に臨む部位に、反射型のインタラプタ６７が取り付けられている。
【００２２】
上記のマイクロスイッチ６３はデッドボルト５７が受け金具５２側に突出したことを検知し、マイクロスイッチ６５はデッドボルト５７が受け金具５２から退避していることを検知し、インタラプタ６７はドアＤが閉じられて反射板６６の近傍にインタラプタ６７が位置していることを検知する。マイクロスイッチ６３、６５及びインタラプタ６７は施錠、警戒（監視を含む）、警報の警備動作、解錠、及びこれらの通報のための通信を制御するマイクロコンピュータ６８の入出力端子に接続されている。
【００２３】
デッドボルト５７の中間部にはピン６９が突出している。このピン６９はリンク７０の長穴７０Ａに挿入されている。リンク７０は回転軸７１を中心に回動可能とされており、リンク７０にはギア７２が固定されている。リンク７０はギア７２と一体に回動する。ギア７２は、軸７３Ｃに回転自在に保持された二段ギア７３の小径ギア７３Ａに噛み合っており、二段ギア７３の大径のギア７３Ｂにはウォームギア７４が噛み合っている。ウォームギア７４はＤＣモーター７５の回転軸に固定されている。
【００２４】
ＤＣモーター７５は、マイクロコンピュータ６８からの命令により正転方向又は逆転方向に回転方向を変更可能なモータードライバー回路７６に接続されている。モータードライバー回路７６は、ＤＣモーター７５の回転方向を変えるために、マイクロコンピュータ６８の命令に従ってバッテリー（乾電池）ＢＴからＤＣモーター７５に給電する電流の方向を変更したり、給電を停止する。
【００２５】
マイクロコンピュータ６８には、警報音を発生するスピーカ７７（警報音発生手段）が増幅器７８を介して接続されている。増幅器７８は、マイクロコンピュータ６８からの警報信号が出力されたときに、警報信号をバッテリーＢＴの電力により増幅してスピーカ７７を鳴動させる。
【００２６】
又、マイクロコンピュータ６８には前述の解錠スイッチ５９とＬＥＤ６０が接続され、解錠スイッチ５９のオン（導通）により、ＤＣモーター７５を逆回転させて施錠状態のデッドボルト５７をストッパー６４側に移動・停止させる。ＬＥＤ６０はデッドボルト５７が受け金具５２側に移動して施錠、警戒状態にあるときに、点灯して施錠、警戒状態であることを示す。
【００２７】
マイクロコンピュータ６８には、送信機能及び受信機能を有する無線通信器７９が接続され、無線通信機７９のアンテナ７９Ａは補助錠本体５１の筐体の外部に露出している。無線通信器７９は後述するメインコントローラ８０（図５参照）及びサブコントローラ１００（図７参照）と通信を行って次に述べる所定の動作を行う。無線通信機７９とマイクロコンピュータ６８は第１子機を構成しており、第１補助錠５０は第１子機を内蔵している。
【００２８】
バッテリーＢＴは、マイクロコンピュータ６８、モータードライバー回路７６、増幅器７８、無線通信機７９に給電しており、マイクロコンピュータ６８はバッテリーＢＴの電圧残量を計測して、無線通信機７９から図５に示すメインコントローラ８０に送信できるようになっている。
【００２９】
メインコントローラ８０は、本願発明の請求項１のコントローラに該当するものであり、建物の内部に取り外し可能に設置され、住人であるユーザーが手に持って操作可能なものとされている。メインコントローラ８０は、液晶表示器からなるＬＣＤ８１と、アンテナ８２と、在宅ボタン８３と、解錠ボタン８４と、外出ボタン８５と、在宅警戒ボタン８６と、解錠表示ＬＥＤ８７と、在宅警戒表示ＬＥＤ８８と、緊急連絡ボタン８９とを備えている。
【００３０】
図９に示すように、メインコントローラ８０内には、マイクロコンピュータ９０及び無線通信機９１、バッテリー（乾電池）９２が格納されており、マイクロコンピュータ９０、無線通信機９１はバッテリー９２から給電される。マイクロコンピュータ９０は、図示しない周辺回路によりバッテリー９２の残量を検出できるようになっている。
【００３１】
又、マイクロコンピュータ９０のＲＯＭには、解錠ボタン８４、外出ボタン８５、在宅警戒ボタン８６、緊急ボタン８９、無線通信機７９から受信した各種の信号に基づいて所定の処理を行うためのプログラムや通信を行うためのプログラム、並びに初期設定や設定変更等のためのプログラム、玄関の第１補助錠５０、第２補助錠３、サブコントローラ１００、電話機１１０等を識別するためのそれぞれのＩＤ並びにメインコントローラ８０自身のＩＤその他の処理に必要なパラメータ等が記録されている。
【００３２】
第１補助錠５０、第２補助錠３、サブコントローラ１００、電話機１１０等を識別するためのそれぞれのＩＤは、図示しないセットボタンのボタン操作又は、複数のボタンの同時長押し等により設定変更可能とされている。
【００３３】
又、マイクロコンピュータ９０のＲＡＭには、施錠・警戒・解錠その他の状態におけるサブコントローラ１００、電話機１１０等の状態を示す情報が記憶される。
【００３４】
図１０に示すように、第２補助錠３のマイクロコンピュータ２４には、後述するセンサＳ１〜Ｓ３と、無線通信機８０Ａ、解錠ボタン８０Ｂ、ＬＥＤ８０Ｃが接続されていると共に、モーターの正逆回転制御を行うモータードライバー回路ＭＤ（図１０参照）を介してモーター３０（図１２参照）が接続され、増幅器とＤＡ変換器を備えたインターフェース回路Ａ１を介してスピーカＳｐが接続され、増幅器とＡＤ変換器を備えたインターフェース回路Ａ２を介してガラス破壊センサとしてのマイクロホンＭｃが接続されている。
【００３５】
マイクロコンピュータ２４のＲＯＭは、後述するセンサＳ１〜Ｓ３のオン・オフ状態によって適正な施錠が行われたかどうか、並びに、解錠が行われたかどうかを判別するプログラムを有する。又、マイクロコンピュータ２４のＲＯＭは、施錠、警戒状態にあるときに、マイクロホンＭｃがガラス破壊音を検出したときにスピーカＳｐを鳴動させ、無線通信機８０Ａからメインコントローラ８０に通知するプログラムも備えている。さらに、マイクロコンピュータ２４のＲＯＭには、自己を識別するためのＩＤが記憶されている。
【００３６】
サブコントローラ１００は、住人の各々が持ち歩ける携帯用のキー１０１を備えており、サブコントローラ１００から第１補助錠５０に通信を行って第１補助錠５０の施錠を行う施錠ボタン１０２と、第１補助錠５０の解錠を行う解錠ボタン１０３と、緊急連絡ボタン１０４と、施錠状態を点灯表示する施錠ＬＥＤ１０５Ａと、解錠状態を点灯表示する解錠ＬＥＤ１０５Ｂとを備えている。
【００３７】
図１１はサブコントローラ１００のブロック構成を示す。サブコントローラ１００は、図１１に示すように、マイクロコンピュータ１０６と無線通信機１０７とを備えている。また、サブコントローラ１００は内部にバッテリー（乾電池）１０８を有している。マイクロコンピュータ１０６には、施錠ボタン１０２と、解錠ボタン１０３と、緊急連絡ボタン１０４と、施錠ＬＥＤ１０５Ａと、解錠ＬＥＤ１０５Ｂと、無線通信機１０７と、バッテリー１０８が接続されている。無線通信機１０７も同様にバッテリー１０８が接続されている。マイクロコンピュータ１０６は第１補助錠５０と通信が出来るように、自己を特定するためのＩＤデータを有しており、第１補助錠５０と施錠、警戒状態を行うための命令信号と、解錠を行うための命令信号とを記憶している。
【００３８】
マイクロコンピュータ１０６は、施錠ボタン１０２がオン（導通）されると、施錠、警戒状態に入るように、無線通信機１０７を介して玄関に設置された第１補助錠５０と施錠及び警戒の命令信号と自己のＩＤデータを送ると共に、施錠ＬＥＤ１０４を所定時間（例えば、解錠ボタン１０３が押されるまで、若しくは施錠してから数秒間）点灯させる。
【００３９】
また、マイクロコンピュータ１０６は、解錠ボタン１０３がオンされると、無線通信機１０７を介して第１補助錠５０に解錠するように要求する命令信号とＩＤデータを送ると共に、ＬＥＤ１０５Ｂを所定時間（例えば数秒間）点灯する。
【００４０】
第１補助錠５０は無線通信機９１を介してサブコントローラ１００からのＩＤデータと施錠、警戒状態に入る命令信号とを受信したとき、このＩＤデータが許容できるものであるかどうかを自己のサブコントローラ管理データと照合し、一致しない場合はその命令信号を破棄し、一致する場合は施錠、警戒を行う。
【００４１】
また、第１補助錠５０は無線通信機９１を介してサブコントローラ１００からのＩＤデータと解錠の命令信号とを受信したとき、このＩＤデータが許容できるものであるかどうかを自己のサブコントローラ管理データと照合し、一致しない場合はその命令信号を破棄し、一致する場合は解錠を行う。
【００４２】
勿論、第１補助錠５０は、破棄した命令信号を出力したＩＤデータ及び命令信号を記憶しておいて、後日その記録を閲覧したり、第１補助錠５０やサブコントローラ１００のデータを調整できるようにしても良い。
［第２子機と第２補助錠］
図１２は第２子機及び第２補助錠からなる施錠装置の主要構成を平面的に示した図である。図１３は施錠装置の側面構成を示す図、図１４はサッシ戸に施錠装置を適用した状態の斜視図である。
【００４３】
この施錠装置は、少なくとも一方が戸とされ、他方が戸又は戸口部の何れかとされる開閉装置の一例としては図１４に示す建物の引き違い式のサッシ戸１Ｌ、１Ｒを挙げて説明するが、ヒンジドア、ショーケースのドア、ロッカーのドア、机の引出等に施錠装置を適用することも可能である。
【００４４】
図１４において、引き違い式のサッシ戸１Ｌ，１Ｒの開閉動作領域はレール２，２の長手方向であり、サッシ戸１Ｌ，１Ｒのスライド方向である。勿論、ヒンジドアの場合は、ヒンジドアの回動方向となる。尚、このサッシ戸１Ｌ、１Ｒには図示しないクレセント錠が設けられており、施錠装置はこのクレセント錠の第２補助錠３とされている。
【００４５】
第２補助錠３は、施錠装置本体４と受け部材５とからなる。さらに、施錠装置本体４は、図１２，図１３に示すように、基板６と第１支持板部７及びデッドボルト８と駆動機構１０を備える。
【００４６】
基板６はサッシ戸１Ｒの縦框部１Ａにネジ止めされるための取付穴６Ａを上下両端部に備えている。取付穴６Ａは基板６の水平方向の位置調整のために縦框部１Ａの断面方向に延びる長穴とされており、傾斜状態の調節等も可能とされている。
【００４７】
基板６には第１支持板部７がボルト７Ｂにより取り付けられている。第１支持板部７は、デッドボルト８をスライド自在に保持するものであり、相対向する一対の縦板部７Ａと底板部が第１支持板部７のコの字形の断面形状を形成している。第１支持板部７の対向する一対の縦板部７Ａはデッドボルト８をスライド可能に保持する開口部８Ａを備えている。開口部８Ａは後述する第２突起部１２Ｂをスライド可能な形状を有している。
【００４８】
受け部材５は、サッシ戸１のガラスＧに両面粘着テープやネジ等の周知手段で取り付けられ平板部５Ａとデッドボルト８の移動を規制するための施錠突起５Ｂを有する。施錠突起５Ｂは平板部５Ａの端部において略Ｌ字型形状に突出している。受け部材５の施錠突起５Ｂは、デッドボルト８が施錠突起５Ｂと平板部５Ａの隅角部に当接したときに、サッシ戸１Ｌ，１Ｒを施錠状態とする。
【００４９】
デッドボルト８は、サッシ戸１Ｌ、１Ｒのスライド領域である開閉動作領域に出入可能とされ、受け部材５の施錠突起５Ｂ近傍の平板部５Ａに当接して一対のサッシ戸１Ｌ、１Ｒを施錠する。
【００５０】
デッドボルト８は、溝状の断面形状を有した金属（例えば鋼板）からなり、図１７に示すように、溝の内部にデッドボルト８と共に移動するホルダーケース１１と接触子１２とを保持している。デッドボルト８の溝内にコの字形断面を有する金属のホルダーケース１１が装着され、ホルダーケース１１内に接触子１２がホルダーケース１１の長手方向にスライド可能に保持されている。
【００５１】
図１５、図１６は接触子１２を示す。接触子１２はこの実施の形態ではプラスチックからなるものであり、接触子１２には受け部材５の平板部５Ａと接触するための第１突起部１２Ａと、施錠突起５Ｂと接触するための第２突起部１２Ｂとが形成されている。又、接触子１２には、第１突起部１２Ａが受け部材５或いはガラスＧに接触したときに信号を出力する第１接点１３と、第２突起部１２Ｂが施錠突起５Ｂに接触したときに信号を出力する第２接点１４とが設けられている。
【００５２】
エラーセンサ（センサＳ１）は、第１突起部１２Ａと第１接点１３と後述する導通突起部２８Ａにより構成される。施錠センサ（センサＳ２）は、第２突起部１２Ｂと第２接点１４と後述する導通突起部２８Ｂにより構成される。
【００５３】
接触子１２の凹部１７とホルダーケース１１の底部１１Ａの起立板部１８との間にはコイルスプリング１９が圧縮して配設されている。接触子１２は、コイルスプリング１９によってサッシ戸１側に向かって突出するように付勢されている。
【００５４】
接触子１２の先端部にはストッパー２０が形成されており、ストッパー２０はホルダーケース１１の開口部２１内を移動可能になっている。開口部１２の奥の縁部には起立板部２２が形成されており、起立板部２２はストッパー２０の戻りを規制できるようになっている。
【００５５】
接触子１２のサッシ戸１側の端部は第１突起部１２Ａとされており、第１突起部１２Ａの角部に第２突起部１２Ｂが突出して形成されている。第２突起部１２Ｂは接触子１２の上面部１２Ｃから突出している。第２突起部１２Ｂは前述のように第１支持板部７の開口部８Ａを通過可能とされている。
【００５６】
第１突起部１２Ａと第２突起部１２Ｂとの離間距離は、第２突起部１２Ｂが施錠突起５Ｂに押されたときに、第１突起部１２Ａがホルダーケース１１内部に埋没可能な深さとされている。
【００５７】
すなわち、第２突起部１２Ｂが施錠突起５Ｂに押されたことにより、施錠突起５Ｂと平板部５Ａの角部にデッドボルト８が位置し、適正に施錠されたことが検出可能となる。デッドボルト８がサッシ戸１Ｌ側に進出しても、第１突起部１２Ａがサッシ戸１Ｌに当たらなかったり、ガラスＧや平板部５Ａに当たっているときは、エラーとなる。
【００５８】
第１接点１３，第２接点１４は接触子１２の側面部には設けられている。この第１接点１３、第２接点１４はリード線２３Ａ、２３Ｂを介して制御装置としてのマイクロコンピュータ２４に接続されている。第１接点１３、第２接点１４は接触子１２の側面に設けられた凹部２５Ａ、２５Ｂ内部に軸止される可撓舌片２６Ａ、２６Ｂに取り付けられている。
【００５９】
可撓舌片２６Ａ、２６Ｂの自由端部間にはコイルスプリング２７が配設されている。可撓舌片２６Ａ、２６Ｂの自由端部は互いにホルダーケース１１の側壁部１１Ｂに向かって付勢されている。導通接点２２Ａ、２２Ｂは接触子１２の側面より僅かに内側に位置しており、通常時はホルダーケース１１と導通しないように保持されている。
【００６０】
ホルダーケース１１の側壁部１１Ｂにはそれぞれ導通突起部２８Ａ、２８Ｂがコの字形断面の内側に向かって突出している。接触子１２のスライド時の位置によって導通突起部２８Ａ、２８Ｂが第１接点１３、第２接点１４の何れか若しくは両者に接触して導通するようになっている。
【００６１】
導通突起部２８Ａ、２８Ｂの形成位置は、エラーセンサが導通した所定時間後に施錠センサが導通するように、ホルダーケース１１の長手方向に距離が設けられており、ホルダーケース１１から突出する第１突起部１２Ａの突出量と、第１突起部１２Ａから第２突起部１２Ｂまでの段差の距離だけ開けられている。
【００６２】
即ち、デッドボルト８が何も当たっていないとき、ホルダーケース１１の端部から第１突起部１２Ａが突出しており、このとき導通突起部２８Ａは第１接点１３に接触していないが、デッドボルト８がガラスＧか受け部材５の平板部５Ａに当たったとき、第１突起部１２Ａはホルダーケース１１の端部と同じ位置まで後退する。このとき、導通突起部２８Ａは第１接点１３に接触導通する。
【００６３】
また、デッドボルト８が受け部材５に当たり、接触子１２の第２突起部１２Ｂが施錠突起５Ｂに当たっているとき、第１突起部１２Ａはホルダーケース１１の内部に後退し、導通突起部２８Ａが第１接点１３に接触導通すると共に、導通突起部２８Ｂが第２接点１４に接触導通する。
【００６４】
この間の導通するための時間的ずれを形成するために、導通突起部２８Ａ、２８Ｂの接地位置が決められている。
【００６５】
ホルダーケース１１は、デッドボルト８と導通可能とされており、接地されている。マイクロコンピュータ２４は図示しないバッテリー電源から駆動電力を給電されており、第１接点１３、第２接点１４と導通突起２８Ａ、２８Ｂとの接触により、導通状態を検出可能となっている。
【００６６】
マイクロコンピュータ２４は第１接点１３、第２接点１４の電圧のＨ，Ｌにより接触子１２が第１突起部１２Ａに当たっているか、第２突起部１２Ｂに当たっているかを判断する。第１突起部１２Ａが受け部材５に当たっていなければ、エラーであり、第１突起部１２Ａがサッシ戸１のガラスＧ或いは平板部５Ａに当たっているときもエラーである。
【００６７】
又、例えば、受け部材５に第１突起部１２Ａとデッドボルト８が侵入できる孔だけが設けられている場合、第１突起部１２Ａが何も当たっていないにも拘わらず、第２突起部１２Ｂが施錠突起５Ｂに当たるという状態が生じる。この場合は、孔部分にデッドボルト８と第１突起部１２Ａが入り、孔の縁に第２突起部１２Ｂが接触すると、先ず第１接点１３が通電し、更にデッドボルト８は孔の奥に進んでゆくために、続いて第２接点１４も通電することとなり、第１接点１３と第２接点１４の通電の時間差が生じ、マイクロコンピュータ２４の論理積も正常施錠として判断する。
【００６８】
第１突起部１２Ａが平板部５Ａに当たった後に、第２突起部１２Ｂが施錠突起５Ｂに当たったときは、正常に施錠されたとマイクロコンピュータ２４は判断する。
［第２補助錠の駆動機構］
駆動機構１０は、デッドボルト８をサッシ戸１Ｌ，１Ｒがスライドする開閉動作領域に突出させるするように押し出すものであり、駆動源となるモーター３０と、ギア機構と、リンクレバー３２及び付勢手段としての弦巻バネ３４とを備えている。
【００６９】
モータ３０はＤＣモータであり、基板６の表面に固定されたベース３１に取り付けられている。ベース３１は例えば接着剤若しくはボルト等により基板６に固定されている。ベース３１はギア機構を支持するための支持板部３５Ａ、３５Ｂを有している。支持板部３５Ａには軸３６が固定されている。軸３６にはギア３７が回転時材に保持されている。ギア３７は小口径のギア３７Ａと大口径のギア３７Ｂを二段にして一体に形成したものであり、大口径のギアにモータ３０の出力軸に取り付けられたギア３８が噛み合っている。
【００７０】
また、支持板部３５Ａ、３５Ｂ間には軸３９が回転自在に取り付けられている。軸３９の端部にはギア４０が固定されており、軸３９の中間部にはウォームギア４１が固定されている。３９Ａ、３９Ｂは軸３９の軸方向の位置ずれを防止するリングであり、４１Ａ、４１Ｂはウォームギア４１の軸方向の位置ずれを防止するリングである。
【００７１】
ウォームギア４１にはリンクレバー３２を駆動するギア４２が噛み合っている。ギア４２は固定軸４３に回転自在に支持されている。固定軸４３の根元部には段部４３Ａが形成されており、段部４３Ａがベース３１に当たっている。固定軸４３の根元部の中心には図示しないボルトがねじ込まれており、固定軸４３はベース３１に固定されている。
【００７２】
リンクレバー３２に一体に形成されたリング４４には固定軸４３が通されており、リング４４は固定軸４３に対して回転自在とされている。リンクレバー３２の上には弦巻バネ３４が配置されている。弦巻バネ３４は固定軸４３に通されており、固定軸４３の周りを回動可能とされている。弦巻バネ３４の一方の端部はリンクレバー３２の片方の端部の穴３２Ａに掛けられており、弦巻バネ３４の他方の端部はギア４２の裏面に形成されたスペーサ部４４の突起４４Ａに掛けられている。
【００７３】
弦巻バネ３４は、駆動機構１０の動きをデッドボルト８に伝達する部位に設けられており、駆動機構１０がデッドボルト８を受け部材５側に移動させてデッドボルト８が受け部材５に当接したとき、その抵抗力に抗して駆動力を蓄積可能とされ、デッドボルト８を更に受け部材５側に付勢して押し当てることにより、サッシ戸１Ｌ，１Ｒの隙間拡大を解消する。又、デッドボルト８と受け部材５との間が狭くなった場合でも、付勢力により狭くなった分が吸収される。このように、隙間に大小が生じても付勢手段の付勢力により対応することが出来る。
【００７４】
この付勢手段は、弦巻バネ３４に構成されているが、他の手段、例えば、コイルスプリングや板バネ、ゴム等の弾性体であっても良い。
【００７５】
スペーサ部４４はギア４２に対して一体に固定されており、ギア４２の回転に伴って弦巻バネ３４を回転させるようになっている。弦巻バネ３４の回転はリンクレバー３２に伝達され、リンクレバー３２はデッドボルト８を押し出す。
【００７６】
リンクレバー３２の片方の端部には軸３２Ｂが突出するように設けられており、この軸３２Ｂがデッドボルト８の長穴８Ｂに移動可能に嵌め込まれている。リンクレバー３２の他方の端部にはベース３１側に向かって突出するストッパー部３２Ｃが形成されている。ストッパー部３２ＣはホームポジションセンサＨＰの接触片ＨＰ１を押し付けてホームポジションセンサＨＰをＯＮさせる。ベース３１にはストッパー部３２ＣがホームポジションセンサＨＰに当たったときに、リンクレバー３２を支えるストッパー部４５が立設されている。ホームポジションセンサＨＰは図示しないリード線を介してマイクロコンピュータ２４に接続されている。
【００７７】
駆動機構１０の駆動源であるモーター３０を制御する制御装置は、ベース３１上に配設されるマイクロコンピュータ２４により構成される。このマイクロコンピュータ２４は、デッドボルト８が受け部材５に向かって移動してから、第１突起部１２Ａが平板部５Ａに当たった後に、施錠センサの一部を構成する第２突起部１２Ｂが施錠突起５Ｂに当たったときは、正常に施錠されたと判断する。
【００７８】
マイクロコンピュータ２４は第２突起部１２Ｂが施錠突起５Ｂに当たって施錠を検出した後に、所定時間だけデッドボルト８を受け部材５に押し当てて付勢手段である弦巻バネ３４に付勢力を蓄積させる機能を有する。
【００７９】
又、マイクロコンピュータ２４の周辺回路には、無線通信器が設けられており、建物内に設けられた図示しないメインコントローラ８０（集中施錠装置）から無線により施錠命令信号を、無線通信器で受信して施錠を行うようになっている。
［第２補助錠の動作］
次に、施錠する場合の一連の動作を図１９のタイミングチャートを用いて説明する。このタイミングチャートは正常の施錠したときの状態を示している。
【００８０】
先ず、建物のメインコントローラ８０から施錠命令を受信すると、モーター３０が正転してギア３８，３７Ｂ、３７Ａ、４０を介してウォームギア４１を回転させ、ギア４２を回転させる。ギア４２の回転により弦巻バネ３４が回転してリンクレバー３２がホームポジションから離れ、ホームポジションセンサＨＰ（センサＳ３）がやや時間を開けてＬとなる。
【００８１】
モーター３０の正回転が継続されると、リンクレバー３２がデッドボルト８を受け部材５側に押し出す。デッドボルト８の第１突起部１２Ａが受け部材５の平板部５Ａに当たると、エラーセンサ（センサＳ１）を構成する第１接点１３に導通突起２８Ａが接触して、第１接点１３と導通突起２８Ａとが導通する。第１接点１３と導通突起２８Ａとが導通した時点から所定時間（ガラスＧから受け金具５の突出する高さから生じる時間差）経過してから、施錠センサ（センサＳ２）を構成する第２接点１４に導通突起２８Ｂとが接触して、第２接点１４と導通突起２８Ｂとが導通する。
【００８２】
この第１接点１３と導通突起２８Ａとの導通（Ｈ）と、第２接点１４と導通突起２８Ｂとの導通（Ｈ）との論理積が（Ｈ）となった後に、所定時間だけ経過した後に、第１接点１３と導通突起２８Ａへの給電と、第２接点１４と導通突起２８Ｂへの給電を停止する。また、第１接点１３と導通突起２８Ａとの導通（Ｈ）と、第２接点１４と導通突起２８Ｂとの導通（Ｈ）との論理積が（Ｈ）となった後に、所定時間（弦巻バネ３４にデッドボルト８を押し出す付勢力を蓄える時間）モーター３０を正転させる。
【００８３】
弦巻バネ３４にデッドボルト８の押出力を十分に蓄積させたら、モーター３０を停止させる。これによって、施錠状態が維持される。
【００８４】
前述のメインコントローラ８０から解錠命令が出力されたら、モーター３０を逆回転させ、ホームポジションセンサＨＰがオン（Ｈ）になって、ホームポジションセンサＨＰがオンを持続可能な安定状態まで少し時間をおいてから、モーター３０を停止させる。
【００８５】
エラーのときには、エラーセンサを構成する第１接点１３と導通突起２８Ａとが接触しないか、若しくは、第２接点１４と導通突起２８Ａとが接触導通しても第２接点１４と導通突起２８Ｂとが接触しない状態となる。このエラーの場合には、無線通信機によりメインコントローラ８０にエラーである旨を送信し、メインコントローラ８０はエラーを音、無線、表示装置により出力する。
［第２補助錠の効果］
上記の施錠装置は、サッシ戸１Ｒに設けられる基板６と、基板６に装備され、サッシ戸１Ｌ、１Ｒの開閉動作領域に出入可能なデッドボルト８と、基板６に装備され、デッドボルト８をサッシ戸１Ｌ、１Ｒの開閉動作領域に突出させるように押し出すための駆動機構１０と、サッシ戸１Ｌの他方に設けられ、駆動機構１０により突出したデッドボルト８を受けてサッシ戸１Ｌ、１Ｒの開放を規制する受け部材５とを備えた第２補助錠３において、駆動機構１０にデッドボルト８が受け部材５に当接したときに、デッドボルト８を更に受け部材５側に付勢する弦巻バネ３４を設けたので、デッドボルト８が受け部材５とがサッシ戸１Ｌ，１Ｒを施錠しているときに、閉じているサッシ戸１Ｌ，１Ｒ同士が離れようとしても弦巻バネ３４（付勢部材）がデッドボルト８を受け部材５側に押し出すので、強制的に解錠されてしまうことが防止される。
【００８６】
又、何らかの原因でサッシ戸１Ｌ、１Ｒ間が狭くなった場合でも、付勢手段付勢力により狭くなった分を吸収できる。
【００８７】
また、施錠装置４が施錠センサにより施錠の適否を検出できる。また、エラーセンサにより施錠のエラーをも検出できる。デッドボルト８が施錠センサとエラーセンサとを備えているときには、デッドボルト８の動きに伴って施錠の適否を的確且つ容易に検出できる。更に、施錠の適否を検出し、デッドボルト８を駆動する駆動機構１０をシンプルな構成とすることが出来、耐久性が向上すると共に低コストなものとすることが出来る。
［防犯システム］
次に、上述のメインコントローラ８０を中心として、第１子機及び第１補助錠５０、第２子機及び第２補助錠３、サブコントローラ１００が行う防犯システムについて、説明する。
【００８８】
上述の通り、この防犯システムはメインコントローラ８０を集中監視装置として、第１補助錠５０、第２補助錠３、サブコントローラ１００、並びに電話機１１０と通信システムを構成している。
【００８９】
尚、電話機１１０の接続は任意であるが、メインコントローラ８０と外部との通信回線の接続については、電話機１１０に通信用のクレードルを接続し、このクレードルにメインコントローラ８０を着脱可能に接続して外部との通信を行うようにすることも実施可能である。
【００９０】
この防犯システムは、メインコントローラ８０による初期設定モード、設定変更モードと、防犯モードとを有する。
（１）初期設定モード
初期設定モードにおいては、メインコントローラ８０の例えば在宅ボタン８３と外出ボタン８５の同時長押し等により、モード設定に変更する。かかるモード設定状態になると、ＬＣＤ８１には選択メニューが表示される。この選択メニューには、「初期設定」と、「設定変更」と、「モード設定の終了」が表示される。ここで、例えば、解錠ボタン８４は「初期設定」と、「設定変更」と、「モード設定の終了」の何れかを選択するカーソルキーとなり、例えば在宅警戒ボタン８６は選択確定キーとなる。
【００９１】
解錠ボタン８４は１回押すごとに「初期設定」と、「設定変更」と、「モード設定の終了」に巡回移動するカーソル操作を行う。解錠ボタン８４の操作により「初期設定」を選択すると、次に「時刻設定」「端末ＩＤ登録」「終了」が表示される。
＜初期設定：時刻設定モード＞
ここで、時刻設定モードを選択すると、例えば在宅ボタン８３が時刻の進行方向の入力手段となる。例えば、解錠ボタン８４を押すと、進行方向は０時から２３時、０分から５９分まで増加する方向に進んでゆき、２３時以上は０時に戻り、５９分以上は０分に戻り、在宅警戒ボタン８６を押すと、時・分がそれぞれ確定するようになっている。
【００９２】
時刻設定モードにおいて分まで確定すると、再度選択メニュー画面が表示される。ここで、前述のカーソル機能を行う解錠ボタン８４により、「端末ＩＤ登録」を選択すると、「第１補助錠５０の登録」、「第２補助錠３の登録」、「サブコントローラ１００の登録」、「終了」の何れを行うかがＬＣＤ８１に表示される。
＜初期設定：端末ＩＤ登録：第１補助錠５０の登録＞
カーソルキーとなる解錠ボタン８４で「第１補助錠５０の登録」選択し、確定キーとなる在宅警戒ボタン８６を押すと、第１補助錠５０の解錠ボタン５９を押すことを促すように「登録する第１補助錠５０の解錠ボタン５９を押してください」という表示がＬＣＤ８１が表示される。
【００９３】
次に、第１補助錠５０の解錠ボタン５９を押すと、第１子機からメインコントローラ８０に第１補助錠５０のＩＤデータが送られるので、マイクロコンピュータ９０のＲＯＭの端末管理のインデックス領域にこのＩＤデータが記憶されると共に、「第１補助錠５０の登録が完了しました」と表示された後に、「第１補助錠５０の登録」、「第２補助錠３の登録」、「サブコントローラ１００の登録」、「終了」の選択画面がＬＣＤ８１に表示される。
＜初期設定：端末ＩＤ登録：第２補助錠３のＩＤ登録＞
複数個ある第２補助錠３を登録する場合にも、同様に「第２補助錠３の登録」を選択し、確定キーとなる在宅警戒ボタン８６を押すと、「登録する第２補助錠３の解錠ボタン８０Ｂを押してください」という表示がＬＣＤ８１が表示される。そこで、第２補助錠３の解錠ボタン８０Ｂを押すことにより、各々の第２補助錠３のＩＤデータが、マイクロコンピュータ９０のＲＯＭの端末管理のインデックス領域に記憶されると共に、「○○番の第２補助錠３の登録が完了しました」と表示された後に、「第１補助錠５０の登録」、「第２補助錠３の登録」、「サブコントローラ１００の登録」、「終了」の選択画面がＬＣＤ８１に表示される。
【００９４】
第１補助錠５０及び第２補助錠３のＩＤ登録が済んだら、「終了」をカーソルキーとなる解錠ボタン８４で選択し、確定キーとなる在宅警戒ボタン８６を押すと、「第１補助錠５０の登録」、「第２補助錠３の登録」、「サブコントローラ１００の登録」、「終了」の選択メニューに変わる。
＜初期設定：端末ＩＤ登録：サブコントローラ１００の登録＞
カーソルキーとなる解錠ボタン８４で「サブコントローラ１００の登録」を選択し、確定キーとなる在宅警戒ボタン８６を押すと、「登録するサブコントローラ１００の解錠ボタン１０３を押してください」という表示がＬＣＤ８１が表示される。そこで、サブコントローラ１００の解錠ボタン１０３を押すことにより、各々のサブコントローラ１００のＩＤデータと管理番号が、マイクロコンピュータ９０のＲＯＭの端末管理のインデックス領域に記憶されると共に、「○○番のサブコントローラ１００の登録が完了しました」と表示された後に、「第１補助錠５０の登録」、「第２補助錠３の登録」、「サブコントローラ１００の登録」、「終了」の選択画面がＬＣＤ８１に表示される。
【００９５】
ここで、サブコントローラ１００をメインコントローラ８０に登録した場合には、該当するサブコントローラ１００がメインコントローラ８０に登録されたことを、メインコントローラ８０から第１補助錠５０に送信し、第１補助錠５０は該当するサブコントローラ１００の記憶を登録する。
【００９６】
また、サブコントローラ１００をメインコントローラ８０に登録した場合には、該当するサブコントローラ１００はメインコントローラ８０のＩＤを登録し、該当するサブコントローラ１００とメインコントローラ８０との間で相互に通信できるようにする。
【００９７】
サブコントローラ１００のＩＤ登録が済んだら、「終了」をカーソルキーとなる解錠ボタン８４で選択し、確定キーとなる在宅警戒ボタン８６を押すと、「時刻設定」「端末ＩＤ登録」「終了」の選択メニューに変わる。そこで、さらに「終了」をカーソルキーとなる解錠ボタン８４で選択し、確定キーとなる在宅警戒ボタン８６を押すと、「初期設定」と、「設定変更」と、「モード設定の終了」の選択メニューに戻る。
＜初期設定：電話機１１０との通信設定＞
メインコントローラ８０と外部の電話との通信は、一例として、電話機１１０と外部の電話との通信機能を有する通信アダプター１２０によって行う。この通信アダプター１２０は、一例として、電話機１１０との回線接続後に所定の暗証番号等の入力を要求し、この入力された暗証番号の照合によりアクセスの可否を決めるマイクロコンピュータと、無線ＬＡＮモジュールとを備える。
【００９８】
通信アダプター１２０は、無線ＬＡＮモジュールを通してメインコントローラ８０から、第１補助錠５０又は第２補助錠３が解錠されたことを検知する信号、又は、ガラスが割られたことを検知する信号を受信した場合に、ユーザーが予め定めた電話番号の電話機に電話をかけて、異常発生を音声で通知するプログラムを備えている。
【００９９】
メインコントローラ８０と通信用アダプター１２０との通信設定は、通信アダプター１２０の図示しない設定ボタン或いはディップスイッチ等の設定操作により、メインコントローラ８０と相互に通信可能とする。
【０１００】
また、メインコントローラ８０から通信アダプター１２０との通信内容は「侵入通報」と「警備状態の確認」とされており、「侵入通報」を送信したり、「警備状態の確認」の通信を行う特定の電話番号の設定は、通信アダプター１２０側の設定ボタン操作或いはディップスイッチ操作により行う。
【０１０１】
すなわち、通信アダプター１２０は、メインコントローラ８０からの送信信号が送られること、又は特定の電話番号からの呼出を通常待っており、メインコントローラ８０からの「侵入通報」信号を受信したら、特定の電話番号の電話に電話をかけ、相手の電話が出たら、この信号を「番号○○から侵入通報がありました」という予め対応して記憶された音声に変えて送信するか、文字データとしてメール送信するか、若しくは留守番電話に録音させる。
【０１０２】
また、特定の電話番号の電話の「警備状態の確認」の命令信号を受信したら、メインコントローラ８０に各端末である第１補助錠５０、第２補助錠３の状態を要求する信号を送信し、メインコントローラ８０はこれに対応する応答を通信アダプター１２０に送信する。通信アダプター１２０はメインコントローラ８０から送信された応答内容を、予め対応するように記憶された音声に変えるか、データとして所定の電話に送信する。
（２）設定変更モード
＜設定変更：端末の選択＞
設定設定モードにおいては、メインコントローラ８０の例えば在宅ボタン８３と外出ボタン８５の同時長押し等により、モード設定に変更する。かかるモード設定状態になると、ＬＣＤ８１には選択メニューが表示される。この選択メニューには、「初期設定」と、「設定変更」と、「モード設定の終了」が表示される。
【０１０３】
この選択メニューが表示されているとき、例えば、解錠ボタン８４は「初期設定」と、「設定変更」と、「モード設定の終了」の何れかを選択するカーソルキーとなり、例えば在宅警戒ボタン８６は選択確定キーとなる。
【０１０４】
解錠ボタン８４は１回押すごとに「初期設定」と、「設定変更」と、「モード設定の終了」に巡回移動する。解錠ボタン８４の操作により「設定変更」を選択し、在宅警戒ボタン８６により「設定変更」を確定すると、次に、設定変更の対象となる端末の一覧を示す端末選択画面がＬＣＤ８１に表示される。ＬＣＤ８１の端末選択画面から、解錠ボタン８４のカーソル操作により設定変更しようとする端末（第１補助錠５０，第２補助錠３、サブコントローラ１００）を選択し、在宅警戒ボタン８６で確定する。
＜設定変更：変更項目の選択＞
設定変更の対象となる端末（第１補助錠５０、第２補助錠３）を選択したら、変更項目の選択画面が表示される。この選択画面には「登録削除」、「状態確認」、「電池残量確認」、「端末の追加」、「終了」が設けられている。
【０１０５】
解錠ボタン８４により「登録削除」が選択され、在宅警戒ボタン８６で確定すると、選択された端末の記録はメインコントローラ８０から削除される。ここで、サブコントローラ１００の登録削除の場合には、登録削除されたサブコントローラ１００はメインコントローラ８０から削除されたことを、第１補助錠５０に送信し、第１補助錠５０は該当するサブコントローラ１００の記憶を削除する。
【０１０６】
解錠ボタン８４により「状態確認」が選択され、在宅警戒ボタン８６で選択された端末の「状態確認」が確定すると、選択された端末の「施錠状態（開閉状態）」が該当する端末からメインコントローラ８０に送信され、ＬＣＤ８１にその状態が表示される。
【０１０７】
解錠ボタン８４により「電池残量確認」が選択され、在宅警戒ボタン８６で選択された端末の「電池残量確認」が確定すると、選択された端末の「電池残量」が該当する端末からメインコントローラ８０に送信され、ＬＣＤ８１に該当する端末の「電池残量」が表示される。なお、各端末の「電池残量」が所定値以下になったときに、該当する端末が「電池残量」が所定値以下になったことをメインコントローラ８０に送信し、メインコントローラ８０のＬＣＤ８１に該当する端末の「電池残量」が表示されるようにしても良い。
【０１０８】
解錠ボタン８４により「端末追加」が選択され、在宅警戒ボタン８６で選択された端末の「端末追加」が確定すると、追加しようとする端末（第２補助錠３又はサブコントローラ１００）の追加登録が行われる。この「端末追加」は、前述の＜初期設定：端末ＩＤ登録：第２補助錠３のＩＤ登録＞＜初期設定：端末ＩＤ登録：サブコントローラ１００の登録＞と同様であるので、その説明を援用する。
【０１０９】
メインコントローラ８０の「設定変更」が済んだら、「終了」をカーソルキーとなる解錠ボタン８４で選択し、確定キーとなる在宅警戒ボタン８６を押すと、「初期設定」と、「設定変更」と、「モード設定の終了」の選択メニューに戻る。そこで、さらに、「モード設定の終了」を選択・確定すると、メインコントローラ８０及び第１補助錠５０、第２補助錠３、サブコントローラ１００は通常の防犯モードに戻る。
（３）防犯モード
防犯モードは大略すると、外出警戒モード、在宅モード、在宅警戒モード、解錠モードに分けられる。
【０１１０】
外出警戒モードには、外出するために施錠、警戒する場合と、外出から帰って解錠する場合と、外出先或いは外の所定の電話から施錠状態を確認する場合と、外出先或いは外の所定の電話から施錠したり、解錠したりする場合とがある。
【０１１１】
外出警戒モードでは、メインコントローラ８０からの命令により第２補助錠３の施錠を実行した後、サブコントローラ１００の命令により玄関の第１補助錠５０の施錠を実行し、サブコントローラ１００からの命令により第１補助錠５０の解錠を実行した後、メインコントローラ８０からの命令により第２補助錠３の解錠を実行する。
【０１１２】
在宅警戒モードでは、メインコントローラ８０からの命令により第２子機８０Ａを通して第２補助錠３の施錠を実行すると共に警戒状態に移行するのみならず、第１子機７９を通して第１補助錠５０の施錠を実行すると共に警戒状態に移行する。
在宅モードは在宅の警戒を解いたモードであり、在宅警戒モードは就寝などのときに警戒を行うモードであって、メインコントローラ８０の命令により、第２子機８０Ａを通して第２補助錠３の施錠を維持しつつ警戒状態を解除すると共に、前記第１子機を通して前記第１施錠装置の施錠を維持しつつ警戒状態を解除する。
【０１１３】
外出警戒モード或いは在宅警戒モードによって建物全部の施錠、警戒状態下にある場合に、第１補助錠５０又は第２補助錠３の何れかが解錠されると、警報発生や通報処理が行われる。
＜外出警戒モード下の施錠処理＞
外出警戒モードにおいて通常行われる施錠、警戒は、メインコントローラ８０からの施錠、警戒状態の命令信号を、第２子機を介して第２補助錠３に通信することにより、第２補助錠３の施錠、警戒が実行され、サブコントローラ１００から第１子機を介して第１補助錠５０に施錠、警戒の命令信号が送信され、第１補助錠５０が施錠、警戒状態になる。
【０１１４】
施錠、警戒に入る場合、メインコントローラ８０は、記憶している第２補助錠３の状態をＬＣＤ８１に表示する。第１補助錠５０及び第２補助錠３は施錠、解錠、ドア、サッシ戸１Ｌ、１Ｒの開閉等の状態が変化するたびに、その変化した結果をメインコントローラ８０に通信し、メインコントローラ８０はこの状態を記憶する。
【０１１５】
尚、施錠、警戒に入るに当たって第２補助錠３の状態を確認するように第２補助錠３に施錠、警戒のための状態確認要求を送信して第２補助錠３から現状状態を報告させるようにしても良い。
【０１１６】
第２補助錠３は設置された場所の窓等が開いているときには受信待機を休止している。開いている窓等の第２補助錠３があれば、該当する窓の第２補助錠３の設置場所（設置番号）をＬＣＤ８１に表示する。
【０１１７】
第２補助錠３は、施錠、警戒命令信号を受信したら、電池残量を確認し、電池残量が充分残っていたら、施錠、警戒を行う。電池残量がない場合には、施錠結果と共に電池残量が低下していることを、メインコントローラ８０に送信する。メインコントローラ８０は、施錠成功又は施錠失敗或いは電池残量が足りない報告を受けた場合には、その旨をＬＣＤ８１に表示して記憶する。
【０１１８】
メインコントローラ８０は第２補助錠３から正常に施錠できた旨の施錠成功信号を受信したら、当該正常に施錠した第２補助錠３の状態を記憶し、正常に施錠した第２補助錠３からの侵入情報を待つ警戒状態に入り、第１補助錠５０に対して施錠忘れ防止の警告信号を送信する。第１補助錠５０はこの警告信号により所定時間内に第１補助錠５０が施錠されないときは、施錠、警戒に入る。
＜外出時の処理＞
メインコントローラ８０を施錠、警戒状態にセットしてから、玄関の戸が開かれ、インタラプタ５９が玄関のドアが開けられたことを検出すると、第１補助錠５０は施錠忘れを防止する警告音を発する。
【０１１９】
外出する住人がサブコントローラ１００の施錠ボタン１０２を押すと、サブコントローラ１００から第１補助錠５０及びメインコントローラ８０に施錠命令信号が送信され、一例として、第１補助錠５０はサブコントローラ１００のＩＤを自己の記憶するＩＤの記録と照合し、サブコントローラ１００のＩＤが記録済みのＩＤと一致したら、第１補助錠５０の警告音を止めると共に第１補助錠５０を施錠し、第１補助錠５０は監視、警戒状態に入る。
【０１２０】
尚、メインコントローラ８０がＩＤの照合を行って、メインコントローラ８０の照合確認に基づいて第１補助錠５０の施錠、監視、警戒に入っても良い。
【０１２１】
第１補助錠５０が正常に施錠されると、その施錠結果が第１補助錠５０からメインコントローラ８０とサブコントローラ１００に送信され、メインコントローラ８０は第１補助錠５０の施錠、警戒状態を記憶して警戒状態に入ると共に、サブコントローラ１００では施錠を示すＬＥＤ１０５Ａが点灯する。
【０１２２】
尚、第１補助錠５０が在宅警戒モードにあるとき、メインコントローラ８０から外出警戒モードに入る信号を受信すると、第１補助錠５０は警戒モードのみを解除し、施錠状態を維持する。この状態で解錠ボタン５９が押されて、玄関の戸が開かれ、インタラプタ５９が玄関のドアが開けられたことを検出すると、第１補助錠５０は施錠忘れを防止する警告音を発する。
＜外出警戒モード下の帰宅時の解錠処理＞
外出先から帰宅してサブコントローラ１００から解錠ボタン１０３が押されたら、サブコントローラ１００は第１補助錠５０とメインコントローラ８０に解錠命令信号を送信する。第１補助錠５０は解錠命令信号を送ったサブコントローラ１００のＩＤ照合を行い、登録したＩＤと一致したら、解錠を許可し、解錠すると共に、メインコントローラ８０とサブコントローラ１００に解錠したことを送信する。サブコントローラ１００は解錠したことを示す信号を第１補助錠５０から受信したら、解錠したことを示すように、ＬＥＤ１０６を点灯する。
【０１２３】
また、メインコントローラ８０はサブコントローラ１００からの解錠命令信号を受信したら、当該解錠命令信号を発したサブコントローラ１００のＩＤを照合し、第１補助錠５０からの解錠の許可・不許可を受信して記憶する。第１補助錠５０から解錠したことを受信して、記憶する。
＜外出警戒モード下の侵入処理＞
施錠、警戒状態にあるとき、第１補助錠５０のインタラプタ６７が玄関のドアが開いたことを検出した信号を出力したら、第１補助錠５０はメインコントローラ８０に玄関のドアが開いたことを知らせる信号を出力すると共に、スピーカ７７で威嚇音を警報として発する。メインコントローラ８０はこのドアが開いたことを知らせる信号を受信して警報音を発すると共に、設定状態により、所定の電話に通報する。
【０１２４】
同様に、施錠、警戒状態にあるとき、第２補助錠３が監視する窓等のサッシ戸１Ｌ、１Ｒが開いたことを検出した信号を出力したら、第２補助錠３はメインコントローラ８０に窓のサッシ戸１Ｌ、１Ｒが開いたことを知らせる信号を出力すると共に、図示しないスピーカで威嚇音を警報として発する。メインコントローラ８０はこの窓が開いたことを知らせる信号を受信して警報音を発すると共に、設定状態により、所定の電話に通報する。
【０１２５】
尚、第１補助錠５０或いは第２補助錠３に、歪みセンサ、振動センサを設けて、ドアやサッシ戸１Ｌ、１Ｒをこじ開けようとするときの歪みや振動の検出結果により、ドアやサッシ戸１Ｌ、１Ｒに不審な状態が発生した場合に、警報を発しても良い。
＜在宅モード＞
在宅モードは、メインコントローラ８０の在宅ボタン８３を押すと、第１補助錠５０及び第２補助錠３の警戒モード（施錠、警戒状態における監視状態を含む）を解除する。これにより、第１補助錠５０は手動解錠ボタン５９を押すことで警報を発することなく、正常に解錠可能となる。
【０１２６】
在宅モードにあるときに、手動解錠ボタン８０Ｂを押すことなく解錠すると、第１補助錠５０は警報を発する。また、第２補助錠３においても手動解錠ボタン８０Ｂを押すことにより、警報を発することなく正常に解錠可能となる。手動解錠ボタン８０Ｂを押すことなく解錠すると、第２補助錠３は警報を発する。
【０１２７】
図２０は、外出警戒モード、在宅モード、在宅警戒モード、解錠モードにあるときの、第１子機５０の施錠状態及び警戒状態と、第２子機３の施錠状態及び警戒状態とを示す。図２１は、外出警戒モード、在宅モード、在宅警戒モード、解錠モードのそれぞれの状態変化を示したものである。
【０１２８】
外出警戒モードにあるとき、第２子機３はメインコントローラ８０の外出ボタン８５のオンにより既に施錠状態と警戒状態になっており、第１子機５０はサブコントローラ１００の施錠ボタン１０２のオンによって施錠状態と警戒状態になる。
【０１２９】
在宅警戒モードにあるとき、第２子機３はメインコントローラ８０の在宅警戒ボタン８６のオンにより施錠状態と警戒状態になり、第１子機５０はメインコントローラ８０の在宅警戒ボタン８６のオンにより施錠状態と警戒状態になる。
【０１３０】
解錠モードは、メインコントローラ８０の解錠ボタン８４をオンにより実行され、第２子機３は施錠状態が解除され、警戒状態が解除されると共に、第１子機５０も施錠状態が解除され、警戒状態も解除される。
【０１３１】
外出警戒モードから在宅ボタン８３をオンしたときに、第１子機５０の施錠状態が解除され、警戒状態が解除されると共に、第２子機３の施錠状態は維持され、第２子機３の警戒状態が解除される。
【０１３２】
在宅警戒モードから在宅ボタン８３をオンしたときに、第１子機５０の施錠状態が解除され、警戒状態が解除されると共に、第２子機３の施錠状態は解除され、第２子機３の警戒状態が解除される。
【０１３３】
解錠モードから在宅ボタン８３をオンしたときにも同様に、第１子機５０の施錠状態が解除され、警戒状態が解除されると共に、第２子機３の施錠状態は解除され、第２子機３の警戒状態が解除される。
＜在宅警戒モード＞
メインコントローラ８０の在宅警戒ボタン８６を押すと、在宅警戒モードに入る。メインコントローラ８０は在宅警戒ボタン８６のオンにより、閉まっている玄関のドアの第１補助錠５０或いは窓等の第２補助錠３に施錠命令信号を送信する。
【０１３４】
第１補助錠５０はこの施錠命令信号を受信して、インタラプタ６７のオン（ドア閉）、電池残量を確認し、電池残量が少ないときにはメインコントローラ８０に残量が少ない旨送信する。ドアが閉まっており、インタラプタ６７がオンになっていれば、施錠した後に、施錠結果をメインコントローラ８０に送信する。第１補助錠５０は施錠後監視状態（警戒モード）に入る。尚、解錠ボタン５９を例えば３秒以上押されたときは解錠すると共に、スピーカ７７から警報を発生する。又、監視状態（警戒モード）にあるときに玄関のドアが開く等の状態があれば、スピーカ７７から警報を発生すると共に、メインコントローラ８０に送信する。
【０１３５】
第２補助錠３は、メインコントローラ８０からの施錠命令信号を受信して、スイッチＳ１，Ｓ２のオン（サッシ戸１Ｌ、１Ｒ閉）、電池残量を確認し、電池残量が少ないときにはメインコントローラ８０に残量が少ない旨送信する。窓が閉まっており、センサＳ１，Ｓ２がオンになっていれば、施錠した後に、施錠結果をメインコントローラ８０に送信する。第２補助錠３は施錠後監視状態（警戒モード）に入る。尚、解錠ボタン８０Ｂが例えば３秒以上押されたときは解錠すると共に、図示しないスピーカから警報を発生する。又、監視状態（警戒モード）にあるときに窓のサッシ戸１Ｌ、１Ｒが開く等の状態があれば、メインコントローラ８０に送信し、スピーカを鳴動させて警報を発する。
＜在宅警戒モードの解除＞
在宅警戒モードは、メインコントローラ８０の解錠ボタン８４をオンさせることにより、解除される。解錠ボタン８４のオンにより、メインコントローラ８０から第１補助錠５０及び第２補助錠３に解錠命令信号が送信される。第１補助錠５０及び第２補助錠３はこの解錠命令信号を受信して、インタラプタ６７或いはセンサＳ１，Ｓ２によるドアの開閉を確認すると共に、電池残量を確認し、電池の残量が不足している場合にはその旨をメインコントローラ８０に送信する。
【０１３６】
電池残量不足の場合、メインコントローラ８０は、該当する第１補助錠５０或いは第２補助錠３をＬＣＤ８１に表示する。
【０１３７】
電池残量が十分であれば、第１補助錠５０及び第２補助錠３は解錠動作を行うと共に、警戒モードを解除して、その解錠結果をメインコントローラ８０に送信し、メインコントローラ８０はその解錠結果を受信して第１補助錠５０、第２補助錠３の解錠結果を記憶する。
【０１３８】
在宅警戒モード下にあって、外出していた住人が帰宅した場合、解錠は前述の外出警戒モードから帰宅したときの処理と同様であるので、その説明を用いる。尚、帰宅した住人が玄関のドアを開けて建物内に入った後は、所定時間経過後に、再度、在宅警戒モードにはいるようにしても良い。
＜在宅モード下における手動解錠＞
在宅モードにあるとき、第１補助錠５０或いは第２補助錠３の解錠ボタン操作を行うことができる。在宅モードにあるとき、第１補助錠５０或いは第２補助錠３の解錠ボタン５９，８０Ｂを押すと、第１補助錠５０及び第２補助錠３は解錠動作を行い、解錠結果をメインコンロローラ８０に送信し、第１補助錠５０或いは第２補助錠３の解錠結果を受信し、記憶する。
＜在宅警戒モード時の手動解錠＞
在宅警戒モードにあるとき、第１補助錠５０の解錠ボタン操作を行うことができる。在宅警戒モードにあるとき、第１補助錠５０の解錠ボタン５９を例えば３秒以上長押しすると、解錠すると共に、スピーカ７７を鳴動させて警報を発し、解錠結果をメインコントローラ８０に送信する。メインコントローラ８０は、第１補助錠５０の解錠結果を受信し、記憶すると共に、メインコントローラ８０の図示しないスピーカを鳴動させて警報を発し、さらに通信アダプター１２０から外部の所定電話に通報する。
【０１３９】
また、在宅警戒モードにあるとき、第２補助錠３の解錠ボタン操作を行うことができる。在宅警戒モードにあるとき、第２補助錠３の解錠ボタン８０Ｂを例えば３秒以上長押しすると、解錠すると共に、スピーカＳｐを鳴動させて警報を発し、解錠結果をメインコントローラ８０に送信する。メインコントローラ８０は、第２補助錠３の解錠結果を受信し、記憶すると共に、メインコントローラ８０の図示しないスピーカを鳴動させて警報を発し、さらに通信アダプター１２０から外部の所定電話に通報する。
＜外からの電話アクセスによる監視状態の確認＞
この防犯システムでは、外からの電話によって監視状態を確認できる。外部からの電話、例えば、住人の携帯電話等により第１補助錠５０及び第２補助錠３の施錠状態及び監視状態を確認する場合には、携帯電話等から電話機１１０の回線に電話をかけ、携帯電話から暗証番号を入力する。通信アダプター１２０は、この暗証番号を照合して一致したら提供するサービスを音声で知らせる。提供されたサービスの中から［自宅の施錠確認］が選択され、携帯電話から選択信号が送信されたら、通信アダプター１２０は［自宅の施錠確認］用のプログラムを起動させる。
【０１４０】
通信アダプター１２０の［自宅の施錠確認］用のプログラムは、メインコントローラ８０に第１補助錠５０及び第２補助錠３の施錠状態及び監視状態を要求する。この要求に対して、メインコントローラ８０は記憶している第１補助錠５０及び第２補助錠３の施錠状態及び監視状態を、通信アダプター１２０に送信する。
【０１４１】
通信アダプター１２０は送信された第１補助錠５０及び第２補助錠３の施錠状態及び監視状態を、予め記憶させた音声に変えて携帯電話に送信する。この送信する音声の内容は、施錠状態に応じて、「全て施錠されております」「開いている窓があります」「窓が施錠されておりません」「玄関が施錠されておりません」等である。
＜外からの電話アクセスによる第１補助錠５０・第２補助錠３の施錠＞
この防犯システムでは、外からの電話によって第１補助錠５０及び第２補助錠３の施錠・解錠を行うことが出来る。前述のように、住人の携帯電話等により第１補助錠５０又は第２補助錠３の施錠を行う場合には、携帯電話等から電話機１１０の回線に電話をかけ、携帯電話から暗証番号を入力する。
【０１４２】
通信アダプター１２０は、この暗証番号を照合して一致したら、例えば「提供するサービスの番号ボタンを押して下さい」との選択要求を音声で知らせる。その中から［自宅の第１補助錠５０の施錠］又は［第２補助錠３の施錠］を選択する番号が携帯電話側から送信されたら、通信アダプター１２０は［自宅の第１補助錠５０の施錠］又は［第２補助錠３の施錠］用のプログラムに基づいて、メインコントローラ８０に第１補助錠５０又は第２補助錠３の施錠を要求する。
【０１４３】
メインコントローラ８０はこれを受けて第１補助錠５０又は第２補助錠３に対して施錠を要求し、第１補助錠５０又は第２補助錠３は施錠を行うと共に、施錠結果をメインコントローラ８０に送信する。
【０１４４】
メインコントローラ８０はその施錠の成功・失敗の結果と第１補助錠５０又は第２補助錠３の施錠状態を記憶した後、通信アダプター１２０に送信する。メインコントローラ８０は送信された第１補助錠５０又は第２補助錠３の施錠完了を、予め記憶させた音声により携帯電話に送信する。この送信する音声の内容は例えば「玄関が施錠されました」又は［○○番の窓は施錠されました］等である。勿論、このときの日時時刻をメインコントローラ８０に記憶させておいて、後日、読み出すことが出来るようにしても良い。
＜外からの電話アクセスによる第１補助錠５０、第２補助錠３の解錠＞
また、この防犯システムでは、外からの電話によって第１補助錠５０又は第２補助錠３の解錠を行うことも出来る。
【０１４５】
前述のように、住人の携帯電話等により第１補助錠５０又は第２補助錠３の解錠を行う場合には、携帯電話等から電話機１１０の回線に電話をかけ、携帯電話から暗証番号を入力する。
【０１４６】
通信アダプター１２０は、この暗証番号を照合して一致したら、例えば「提供するサービスの番号ボタンを押して下さい」との選択要求を音声で知らせる。その中から［自宅の第１補助錠５０の解錠］又は［自宅の第２補助錠３の解錠］を選択する番号が携帯電話側から送信されたら、電話機１１０は通信アダプター１２０の［自宅の第１補助錠５０の解錠］又は［自宅の第２補助錠３の解錠］用のプログラムに基づいて、メインコントローラ８０に第１補助錠５０又は第２補助錠３の解錠を要求する。
【０１４７】
メインコントローラ８０はこれを受けて第１補助錠５０又は第２補助錠３に解錠を要求し、第１補助錠５０又は第２補助錠３は解錠を行うと共に、解錠結果をメインコントローラ８０に送信する。
【０１４８】
メインコントローラ８０はその解錠結果と第１補助錠５０又は第２補助錠３の解錠状態を記憶した後、通信アダプター１２０に送信する。通信アダプター１２０は送信された第１補助錠５０又は第２補助錠３の解錠完了を、予め記憶させた音声により携帯電話に送信する。この送信する音声の内容は例えば「玄関が解錠されました」「○○番の窓が解錠されました」等である。
【０１４９】
勿論、このときの日時時刻を通信アダプター１２０に記憶させておいて、後日、読み出すことが出来るようにしても良い。
【０１５０】
尚、携帯電話或いはパーソナルコンピュータのインターネット通信等を利用して、セキュリティを確保した上で、ＷＥＢページに、自宅の防犯システム用の制御画面を表示させ、キーボードや携帯電話のボタン操作或いは音声による指示等により、自宅の施錠、警戒、現状確認、解錠等を行っても良い。
【０１５１】
また、上記の実施の形態では、第１補助錠５０、第２補助錠３についての防犯システムを説明したが、玄関のドアの主錠や窓のサッシ戸１Ｌ、１Ｒのクレセント錠或いはその他のタイプの主錠、又は、店舗や事務所の鍵を第１施錠装置とし、ショーケースやロッカーケースの鍵を第２施錠装置として適用することも、防犯上好適である。
【０１５２】
【発明の効果】
本願の第１の防犯システムによれば、コントローラからの命令により第２施錠装置の施錠を行った後に、第１施錠装置の施錠を行い、第１の施錠装置の解錠を行った後に、第２施錠装置の解錠を行うことによって、第１施錠装置を玄関のドアに設定し、第２施錠装置を窓の錠に設定することができ、窓の錠を締めた後に玄関のドアの施錠を行うことが可能となる。外出から帰ったときでも、第１施錠装置の解錠の後に第２施錠装置の解錠操作を行うことにより、玄関のドアの解錠と窓の錠の解錠を行うこととなり、窓の錠の解錠は任意なものとなる。
【０１５３】
本願の第２の防犯システムによれば、コントローラが建物内に通常は位置されるメインコントローラと、サブコントローラとで構成されるので、サブコントローラを住人が持ち歩く携帯用のものとすることが出来る。従って、メインコントローラで第２施錠装置が設置される窓の施錠した後に、サブコントローラで第１施錠装置が設置される玄関の施錠することが出来る。
【０１５４】
本願の第３の防犯システムによれば、メインコントローラを建物内部に設け、建物の窓その他の開口部を戸締まりしてメインコントローラから施錠、警戒命令を送信すると、第２子機が第２補助錠を施錠監視する。次いで、建物の居住者等がサブコントローラを持って建物外に出て、サブコントローラからメインコントローラに第１子機の施錠、警戒命令を送信すると、主たる出入口である例えば玄関口の第１子機が作動して第１補助錠が施錠、警戒し、建物内の第１，第２補助錠の全部が施錠、警戒の状態になる。
【０１５５】
建物内の第１，第２補助錠が監視状態にあるとき、主錠若しくは補助錠が解錠されたり、異常検出を所定の機関に通報し、窓破壊センサを備える場合、窓ガラスが割られると、音や光等で警報を発することも出来る。
【０１５６】
居住者が帰宅してサブコントローラから解錠ボタンを押すと、サブコントローラは第１子機及びメインコントローラに解錠命令を伝え、第１子機は第１補助錠を解錠する。また、メインコントローラから解錠命令を第２子機に送れば、第２子機は警戒状態を解除することとなる。
【０１５７】
本願の第４の防犯システムによれば、居住者が在宅で施錠、警戒する場合には、メインコントローラの在宅警戒機能を選択することにより、第１子機を用いて第１補助錠を施錠、警戒すると共に、第２子機を用いて第２補助錠を施錠、警戒することができる。
【０１５８】
本願の第５の防犯システムによれば、外出からの帰宅後、或いは、夜間などの在宅警戒モードにおいて、在宅モードを実行すると、第２施錠装置の施錠を維持しつつ警戒状態を解除すると共に、前記第１子機を通して前記第１施錠装置の施錠を維持しつつ警戒状態を解除することが可能となる。
【０１５９】
本願の第６の防犯システムによれば、建物の所定の開口部に設けた第１子機若しくはその他の開口部に設けた複数個の第２子機の何れかが、ガラス破壊や窓の開放等を検出したときに、警報音を発生して周囲に異常を通報し、侵入者を威嚇して退出を促すことができる。
【０１６０】
本願の第７の防犯システムによれば、施錠時若しくは外出警戒モード若しくは在宅警戒モードのいずれかにおいて、所定の出入口又は前記開口部の戸の異常を検出したときに、当該異常をコントローラに伝えるので、第１施錠装置や第２施錠装置自体の状態も確認する出来る。
【０１６１】
本願の第８の防犯システムによれば、外部からの電話アクセスにより、建物全体の開口部の施錠確認や施錠、解錠等を行うことができる。
【図面の簡単な説明】
【図１】（Ａ）本願の実施の形態にかかる防犯システムの外出警戒モード時の通信状態を示す概念図、（Ｂ）は在宅警戒モード時の通信状態を示す概念図。
【図２】本願の玄関のドアに設置される第１子機及び第１補助錠の設置位置を示す図。
【図３】図２の第１補助錠の補助錠本体及び受け金具を示す斜視図。
【図４】図２の第１補助錠の補助錠本体及び受け金具の概略構成を示す図。
【図５】本願の実施の形態にかかるメインコントローラの形状を示す図。
【図６】本願の実施の形態にかかる第２子機のブロック構成を示す図。
【図７】本願の実施の形態にかかるサブコントローラの形状を示す図。
【図８】本願の実施の形態にかかる通信アダプター及び電話機の接続状態を示す図。
【図９】図５に示すメインコントローラのブロック図。
【図１０】図６に示す第２補助錠のブロック図。
【図１１】図７に示すサブコントローラのブロック図。
【図１２】本発明の第２補助錠の施錠装置本体の構成を示す平面図。
【図１３】図１２の施錠装置本体の側面図。
【図１４】開閉装置としてのサッシ戸に施錠装置を接地する状態を示す斜視図。
【図１５】第２補助錠の接触子の断面構成を示す図。
【図１６】第２補助錠の接触子とホルダーケースの導通接点及び導通突起部の配置状態を示す断面図。
【図１７】第２補助錠のデッドボルトとホルダーケース及び接触子の取付状態を示す斜視図。
【図１８】（ａ）は第２補助錠のデッドボルトがガラスに当たっていない状態の図、（ｂ）は第２補助錠のデッドボルトが受け部材に当たってエラーとなっている状態の図、（ｃ）はデッドボルトの接触子が施錠突起に当たって正常な施錠状態となったいる状態図、（ｄ）はデッドボルトがガラスに当たってエラーとなったときの状態図。
【図１９】第２補助錠のタイミングチャート。
【図２０】本発明の実施の形態にかかる外出警戒モード、在宅警戒モード、在宅モード、解錠モードにおける第１子機及び第２子機の施錠、警戒状態を示す図。
【図２１】本発明の実施の形態にかかる防犯システムの外出警戒モード、在宅警戒モード、在宅モード、解錠モードにおける状態変化を示す図。
【符号の説明】
１Ｌ、１Ｒ  サッシ戸（開閉装置）
３      第２補助錠
４      施錠装置本体
５      受け部材
８      デッドボルト
１０    駆動機構
１２Ｂ  第２突起部（施錠センサ）
１４    第２接点      （施錠センサ）
２８Ｂ  導通突起部（施錠センサ）
１２Ａ  第１突起部  （エラーセンサ）
１３    第１接点（エラーセンサ）
２８Ａ  導通突起部（エラーセンサ）
２４    マイクロコンピュータ
３２    リンクレバー
３４    弦巻バネ（付勢手段）
５０    第１補助錠５０
５１    補助錠本体
６８    マイクロコンピュータ（第１子機）
７９    無線通信機（第１子機）
８０    メインコントローラ
８０Ａ  無線通信機（第２子機）
８０Ｂ  解錠ボタン
８３    在宅ボタン
８４    メインコントローラの解錠ボタン
８５    外出ボタン
８６    在宅警戒ボタン
１００  サブコントローラ
１０２  施錠ボタン
１０３  解錠ボタン
１１０  電話機
１２０  通信アダプター
【図１】
2005070824.tif 000003
【図２】
2005070824.tif 000004
【図３】
2005070824.tif 000005
【図４】
2005070824.tif 000006
【図５】
2005070824.tif 000007
【図６】
2005070824.tif 000008
【図７】
2005070824.tif 000009
【図８】
2005070824.tif 000010
【図９】
2005070824.tif 000011
【図１０】
2005070824.tif 000012
【図１１】
2005070824.tif 000013
【図１２】
2005070824.tif 000014
【図１３】
2005070824.tif 000015
【図１４】
2005070824.tif 000016
【図１５】
2005070824.tif 000017
【図１６】
2005070824.tif 000018
【図１７】
2005070824.tif 000019
【図１８】
2005070824.tif 000020
【図１９】
2005070824.tif 000021
【図２０】
2005070824.tif 000022
【図２１】
2005070824.tif 000023